(57)【要約】      （修正有）【課題】  情報量を増加させることができ、４面ともに起立させることができるので、印刷された情報が見やすい首架けラベルを提供すること。【解決手段】 第１基材１０と第２基材１１が縦方向に形成される２条の所定幅の接着部１２，１３を介して接着されており、前記第１基材１０は両接着部１２，１３の間隔の約１／２の部位に形成された切り線１で切り離し可能に構成され、前記第２基材は前記第１基材の前記切り線１に平行に形成された２本の切り線２，３と、該２本の切り線２，３の中央部に直行して形成された１本の切り線４とによってＨ形状の切り線が形成され、上記１本の切り線４を挟んで、該１本の切り線４より短い切り線５，６が形成されていることを特徴とする容器の首架けラベル。【選択図】        図８
2005062702.tif 000002
【特許請求の範囲】
【請求項１】
第１基材（１０）と第２基材（１１）が縦方向に形成される２条の所定幅の接着部（１２，１３）を介して接着されており、前記第１基材（１０）は両接着部(１２，１３)の間隔の約１／２の部位に形成された切り線（１）で切り離し可能に構成され、前記第２基材は前記第１基材の前記切り線（１）に平行に形成された２本の切り線（２，３）と、該２本の切り線(２，３)の中央部に直行して形成された１本の切り線（４）とによってＨ形状の切り線が形成され、上記１本の切り線（４）を挟んで、該１本の切り線（４）より短い切り線（５，６）が形成されていることを特徴とする容器の首架けラベル。
【請求項２】
切り線（５，６）の各々が、凹円弧状の切り線（５０，５０）とその両端で連続する凸円弧状の切り線（６０，６０）とからなることを特徴とする請求項１記載の容器の首架けラベル。
【請求項３】
第１基材（１０）と第２基材（１１）の形状が、方形状であることを特徴とする請求項１又は２記載の容器の首架けラベル。
【請求項４】
第１基材（１０）と第２基材（１１）の形状が、部分円形状であることを特徴とする請求項１又は２記載の容器の首架けラベル。
【請求項５】
両接着部(１２，１３)が、第１基材（１０）と第２基材（１１）の横方向の両端部に形成されることを特徴とする請求項１、２、３又は４記載の容器の首架けラベル。
【請求項６】
第１基材（１０）と第２基材（１１）の両接着部(１２，１３)の少なくとも一方が、剥離可能に接着されていることを特徴とする請求項５記載の容器の首架けラベル。
【請求項７】
第１基材（１０）と第２基材（１１）の両接着部(１２，１３)の少なくとも一方において、該接着部の一部領域が剥離可能に接着されていることを特徴とする請求項５又は６記載の容器の首架けラベル。
【請求項８】
両接着部(１２，１３)の一方（１２）が、第１基材（１０）と第２基材（１１）の横方向の一方の端部に形成され、他方（１３）が第１基材（１０）と第２基材（１１）の横方向の他方の端部より内側に位置する部位に形成され、該他方の接着部（１３）から他方の端部に向かって前記第１基材（１０）と第２基材（１１）の延出部（１０Ａ，１１Ａ）を有することを特徴とする請求項１、２又は３記載の容器の首架けラベル。
【請求項９】
第１基材（１０）と第２基材（１１）の両接着部(１２，１３)の少なくとも一方が、剥離可能に接着されていることを特徴とする請求項８記載の容器の首架けラベル。
【請求項１０】
第１基材（１０）と第２基材（１１）の両接着部(１２，１３)の少なくとも一方において、該接着部の一部領域が剥離可能に接着されていることを特徴とする請求項９記載の容器の首架けラベル。
【請求項１１】
延出部１０Ａと１１Ａが剥離可能に接着されていることを特徴とする請求項８、９又は１０記載の容器の首架けラベル。
【発明の詳細な説明】
【技術分野】
【０００１】
本発明は首架けラベルに関し、詳しくは、より多くの情報を印刷でき、持ち運びにも便利な首架けラベルに関する。
【背景技術】
【０００２】
従来、ビンやボトル等の容器の首部に装着するネックハンガーラベルは、その容器の内容物に関する商品情報、広告情報を印刷表示する商品として注目されている。
【０００３】
特許文献１には、１枚のシート状のラベルに、ビンやボトル容器の首部に装着するための穴部を形成しておいて、穴に首部を装着したときに、起立面を作り、その起立面に商品情報、広告情報を印刷表示する技術が開示されている。
【特許文献１】特開２００２−１４０００２号
【発明の開示】
【発明が解決しようとする課題】
【０００４】
しかし、特許文献１に記載の技術は、１枚のシート状のラベルを用いているため、印刷できる情報量が少ない欠点があるばかりでなく、起立面が２個しかないため対向する２つの起立面の印刷された情報は見やすいが、他の２面は起立せず、横たわったままであるので、印刷情報が見にくい欠点があった。
【０００５】
そこで、本発明は、情報量を増加させることができ、４面ともに起立させることができるので、印刷された情報が見やすい首架けラベルを提供することを課題とする。
【課題を解決するための手段】
【０００６】
上記課題は、以下の各発明によって解決される。
【０００７】
（請求項１） 第１基材（１０）と第２基材（１１）が縦方向に形成される２条の所定幅の接着部（１２，１３）を介して接着されており、前記第１基材（１０）は両接着部(１２，１３)の間隔の約１／２の部位に形成された切り線（１）で切り離し可能に構成され、前記第２基材は前記第１基材の前記切り線（１）に平行に形成された２本の切り線（２，３）と、該２本の切り線(２，３)の中央部に直行して形成された１本の切り線（４）とによってＨ形状の切り線が形成され、上記１本の切り線（４）を挟んで、該１本の切り線（４）より短い切り線（５，６）が形成されていることを特徴とする容器の首架けラベル。
【０００８】
（請求項２）切り線（５，６）の各々が、凹円弧状の切り線（５０，５０）とその両端で連続する凸円弧状の切り線（６０，６０）とからなることを特徴とする請求項１記載の容器の首架けラベル。
【０００９】
（請求項３）第１基材（１０）と第２基材（１１）の形状が、方形状であることを特徴とする請求項１又は２記載の容器の首架けラベル。
【００１０】
（請求項４）第１基材（１０）と第２基材（１１）の形状が、部分円形状であることを特徴とする請求項１又は２記載の容器の首架けラベル。
【００１１】
（請求項５）両接着部(１２，１３)が、第１基材（１０）と第２基材（１１）の横方向の両端部に形成されることを特徴とする請求項１、２、３又は４記載の容器の首架けラベル。
【００１２】
（請求項６）第１基材（１０）と第２基材（１１）の両接着部(１２，１３)の少なくとも一方が、剥離可能に接着されていることを特徴とする請求項５記載の容器の首架けラベル。
【００１３】
（請求項７）第１基材（１０）と第２基材（１１）の両接着部(１２，１３)の少なくとも一方において、該接着部の一部領域が剥離可能に接着されていることを特徴とする請求項５又は６記載の容器の首架けラベル。
【００１４】
（請求項８）両接着部(１２，１３)の一方（１２）が、第１基材（１０）と第２基材（１１）の横方向の一方の端部に形成され、他方（１３）が第１基材（１０）と第２基材（１１）の横方向の他方の端部より内側に位置する部位に形成され、該他方の接着部（１３）から他方の端部に向かって前記第１基材（１０）と第２基材（１１）の延出部（１０Ａ，１１Ａ）を有することを特徴とする請求項１、２又は３記載の容器の首架けラベル。
【００１５】
（請求項９）第１基材（１０）と第２基材（１１）の両接着部(１２，１３)の少なくとも一方が、剥離可能に接着されていることを特徴とする請求項８記載の容器の首架けラベル。
【００１６】
（請求項１０）第１基材（１０）と第２基材（１１）の両接着部(１２，１３)の少なくとも一方において、該接着部の一部領域が剥離可能に接着されていることを特徴とする請求項９記載の容器の首架けラベル。
【００１７】
（請求項１１）延出部１０Ａと１１Ａが剥離可能に接着されていることを特徴とする請求項８、９又は１０記載の容器の首架けラベル。
【発明の効果】
【００１８】
本発明によると、情報量を増加させることができ、４面ともに起立させることができるので、印刷された情報が見やすい首架けラベルを提供することができる。  
【発明を実施するための最良の形態】
【００１９】
以下、図面に基づき本発明について詳述する。
【００２０】
図１は、本発明の首架けラベルの一例を示す断面図であり、図２は図１の平面図、図３は図１の裏面図である。
【００２１】
本発明の首架けラベルＡは、図１に示すように、基本的に第１基材１０と第２基材１１からなる。
【００２２】
第１基材１０と第２基材１１は、縦方向に２条の所定幅の接着部１２，１３を介して接着されている。
【００２３】
第１基材１０は、図２に示すように、横方向Xの両端に所定幅の接着部１２，１３を有し、また、第２基材１１にも同様に、図３にしめすように、横方向Xの両端に第１基材１０との接着部１２，１３を有している。  
【００２４】
本発明においては、第１基材（１０）と第２基材（１１）の両接着部(１２，１３)の少なくとも一方は、剥離可能に接着されていることが好ましい。即ち、本発明では、両接着部(１２，１３)は両方とも剥離可能に接着されていてもよいし、片方のみ剥離可能に接着されていてもよい。剥離可能に接着されている部位にはポイントやキャラクターなどのノベルティー情報を印刷しておくことが好ましい。
【００２５】
接着部１２，１３の幅は特に限定されないが、５ｍｍ〜２０ｍｍの範囲で決定されることが好ましい。なお、接着部１２と１３の幅は同一であっても異なってもよい。
【００２６】
接着部の幅を広くした場合には、両接着部(１２，１３)の少なくとも一方において、該接着部の一部領域を剥離可能に構成することも好ましい。前記ノベルティー情報を印刷できるからである。  
【００２７】
第１基材１０には、縦方向Yに平行に切り線１が形成されている。この切り線１は両接着部１２，１３の間隔の約１／２の部位に形成される。本発明において、両接着部１２，１３の間隔というのは、両接着部１２と１３の最大距離を意味し、図１及び図２の態様では、第１基材１０の両端まで接着部が形成されているので、第１基材１０の横方向Xの長さLということになる。また約１／２の部位というのは第１基材１０の横方向Xの長さLの略中心という意味である。切り線１は第１基材１０と第２基材が接着された状態でカット加工により形成できるが、縦方向Yに亘って全部を切り取ってもよいし、縦方向Yの両端をわずかに残して切り線１を設け、容器に取り付ける際に切り離してもよい。
【００２８】
第２基材１１は、図３に示すように、前記第１基材１０の前記切り線１に平行に形成された２本の切り線２，３と、該２本の切り線２，３の中央部に直行して形成された１本の切り線４とによってＨ形状の切り線が形成されている。
【００２９】
本発明では、第１基材１０の切り線１と第２基材１１の切り線４は直行している。この２枚の基材１０、１１を積層し、しかも両切り線１と４が直行することにより、容器の首を挿入しやすくしている。なお、切り線２と３の間隔は、容器の首の大きさによって適宜決定される。
【００３０】
第２基材１１においては、上記切り線以外に、上記切り線４を挟んで、該切り線４より短い切り線５，６が形成されている。この切り線５，６の各々は、図示のように、凹円弧状の切り線５０，５０とその両端で連続する凸円弧状の切り線６０，６０とからなることが好ましい。
【００３１】
本発明において、第１基材１０と第２基材１１の形状は、図示のように、長方形であることが好ましい態様である。
【００３２】
また、本発明の他の好ましい態様としては、図４、図５に示す態様が挙げられる。図４には、第１基材１０が示されており、図５には第２基材１１が示されている。
【００３３】
図４及び図５に示す形態は、第１基材１０と第２基材１１の形状が、部分円形状であるもので、２つの円形が重なり合った形態である。この形態は、印刷情報を円形枠に記載した方が有効に機能する場合（例えば円形百分率の品質表示などを行う場合など）に好ましい。
【００３４】
図４及び図５において、図２及び図３と同一の符号の部位は同一の構成であるので、その説明を省略する。
【００３５】
更に本発明の他の好ましい態様としては、図６及び図７に示す態様が挙げられる。
【００３６】
図６及び図７に示す形態の特徴は、切り線１の両側の基材の長さが異なる点である。即ち、同図に示すように、両接着部１２，１３の一方の接着部１２は、第１基材１０と第２基材１１の横方向Ｘの一方の端部に形成される。また他方（１３）が第１基材（１０）と第２基材（１１）の横方向の他方の端部より内側に位置する部位に形成される。この切り線１は両接着部１２，１３の間隔の約１／２の部位に形成される。
【００３７】
従って、前記第１基材１０と第２基材１１には、接着部１３の右側に基材の延出部１０Ａ，１１Ａを有することになる。このような延出部を形成すると印刷情報は更に増加させることができる。
【００３８】
この図６及び図７に示す態様においても、第１基材（１０）と第２基材（１１）の両接着部(１２，１３)の少なくとも一方は、剥離可能に接着されていることが好ましい。
【００３９】
また第１基材（１０）と第２基材（１１）の両接着部(１２，１３)の少なくとも一方において、該接着部の一部領域が剥離可能に接着されていることも好ましい。
【００４０】
更に延出部１０Ａと１１Ａが剥離可能に接着されていることが好ましい。この延出部の領域に前記ノベルティー情報を印刷できるからである。
【００４１】
図６及び図７において、図２及び図３と同一の符号の部位は同一の構成であるので、その説明を省略する。
【００４２】
次に、図２及び図３に示す首架けラベルの使用形態について、図８に基づいて説明する。
【００４３】
ペットボトル等の容器Ｐの首に、第２基材１１の側から被せる。被せる際には先ず第２基材１１のＨ形状切り線のうちの平行な切り線２，３の間に容器Ｐの首の幅を合わせ、次いで容器Ｐの首の先端中心を切り線４に合わせる。
【００４４】
次いで、第１基材１０及び第２基材１１のそれぞれ両端側を下方に引っ張ると、切り線４が開き、容器の首がその開いた部位に挿入される。そのときＨ形状の切り線２，３の部位も開き、第２基材に立ち上げ部１１Ｃが形成される。勿論対向側にもこの立ち上げ部は形成されている。この立ち上げ部が形成されるのは、切り線５と６の存在によるもので、切り線５，６の上方が立ち上げ部１１Ｃとなり、下方は傾斜面１１Ｄを為している。
【００４５】
立ち上げ部１１Ｃが形成される結果、第２基材の両端がスペーサー機能を果たし、２つに分割された第１基材を立ち上げる。
【００４６】
この態様で、立ち上げ面としては、二つの第１基材による２面、及び第２基材の立ち上げ部の２面の計４面が形成される。
【００４７】
この４つ立ち上げ面に広告、ノベルティ等の各種情報を印刷することが可能で、従来より多くの情報を印刷可能になる。また２つの傾斜面１１Ｄにも印刷でき、更に情報量は増す。また立ち上げ面の裏側にも印刷すれば更に印刷情報は増加する。
【００４８】
切り線５、６の存在によって、立ち上げ部１１Ｃが形成するだけでなく、傾斜面１１Ｄ最上部である切り線５，６の部位は容器の首あるいは蓋に引っかかるため、首架けラベルが安定して固定される効果がある。  
【図面の簡単な説明】
【００４９】
【図１】本発明の首架けラベルの一例を示す断面図
【図２】図１の平面図
【図３】図１の裏面図
【図４】第１基材の他の好ましい態様を示す図
【図５】第２基材の他の好ましい態様を示す図
【図６】第１基材の他の好ましい態様を示す図
【図７】第２基材の他の好ましい態様を示す図
【図８】本発明の首架けラベルの使用形態を示す斜視図
【符号の説明】
【００５０】
Ａ：首架けラベル
１，２，３，４，５，６：切り線
１０：第１基材
１１：第２基材
１２，１３：接着部
５０，５０：切り線
６０，６０：切り線
１０Ａ，１１Ａ：基材の延出部
１１Ｃ：立ち上げ部
１１Ｄ：傾斜面
Ｐ：容器
【図１】
2005062702.tif 000003
【図２】
2005062702.tif 000004
【図３】
2005062702.tif 000005
【図４】
2005062702.tif 000006
【図５】
2005062702.tif 000007
【図６】
2005062702.tif 000008
【図７】
2005062702.tif 000009
【図８】
2005062702.tif 000010